(57)【要約】【課題】簡単な構造でかつ地雷の爆発力の大小にかかわらず１基で対応できる汎用性のある地雷除去装置を提供する。【解決手段】クレーン車１により吊り下げた後、落下させて地雷を爆破させて除去する地雷爆破除去装置１において、上部にピラミッド形に形成された四角錐枠５ａと、この四角錐枠５ａの下部に形成された四角形の四角形枠５ｂとを一体にした枠組み４が形成され、四角錐枠５ａの枠により形成される複数の開口８が上方に片開き可能で且つ開き角度が規制された開閉蓋９で覆われ、四角形枠５ｂの下部に設けられた誘爆体支持フレーム１２に四角形枠５ｂの下端より突出し、地雷に接触あるいは衝撃を与えて地雷を誘爆させる誘爆体１１が複数設けられ、四角形枠５ｂを四角形の壁で取り囲む、下部が開放された四角形囲い３を備えている。【選択図】図１
2006300397.tif 000002
【特許請求の範囲】
【請求項１】
クレーン車により吊り下げた後、落下させて地雷を爆破させて除去する地雷爆破除去装置において、
上部にピラミッド形に形成された四角錐枠と、この四角錐枠の下部に形成された四角形の四角形枠とを一体にした枠組みが形成され、
前記四角錐枠の枠により形成される複数の開口が上方に片開き可能で且つ開き角度が規制された開閉蓋で覆われ、
前記四角形枠の下部に設けられた誘爆体支持フレームに四角形枠の下端より突出し、地雷に接触あるいは衝撃を与えて地雷を誘爆させる誘爆体が複数設けられ、
前記四角形枠に、四角形枠を四角形の壁で取り囲む、下部が開放された四角形囲いが上下動可能に連結されていることを特徴とする地雷爆破除去装置。
【請求項２】
クレーン車が無線により遠隔操作可能であることを特徴とする請求項１記載の地雷爆破除去装置。
【請求項３】
四角形枠の上部に散水孔を有することを特徴とする請求項１又は２記載の地雷爆破除去装置。
【請求項４】
開閉蓋の裏面を弾性材料で被覆したことを特徴とする請求項１、２又は３記載の地雷爆破除去装置。
【発明の詳細な説明】
【技術分野】
【０００１】
本発明は、埋設されている地雷を爆破させて除去する地雷爆破除去装置に関するものである。
【背景技術】
【０００２】
世界の紛争地域では広範囲にわたって地雷が埋設されており、この地雷に接触して多くの人々が被害にあっている。この被害をなくすために地雷の除去作業が行われているが、地雷の除去作業は、広範囲にわたるため発見に時間がかかるだけでなく、発見された地雷の爆破処理や不発処理を安全に行うために時間がかかり、極めて効率が悪いのが実情である。そのため、効率よくかつ安全に地雷除去できる手段が望まれている。
【０００３】
例えば、特許文献１には、地雷を安全かつ容易に爆破除去するための地雷爆破除去装置が開示されている。この地雷爆破除去装置は、クレーン車のワイヤで吊り下げられた地雷爆破除去装置を高所から落下させ、その衝撃で地雷を爆破させるものである。地雷爆破除去装置は、ガス逃がし穴、ガス方向転換板、接触格子を備えた除去容器が落下したときの衝撃で地雷が爆発し、その爆発に伴い飛び散る地雷の鉄片、塵埃を容器内に封じ込め、爆風を除去容器の外壁に設けた複数のガス逃がし穴から逃がすとともに外壁に固定されたガス方向転換板で方向転換させるというものである。
【特許文献１】２００４−２０１２７号公報
【発明の開示】
【発明が解決しようとする課題】
【０００４】
しかしながら、従来の地雷爆破除去装置は、除去容器に爆風を逃がすガス逃がし穴を想定される地雷の爆発力により決定した除去容器を複数用意し、その中から選択して使用しなければならいため汎用性に欠けるという欠点がある。
【０００５】
そこで、本発明は、簡単な構造でかつ地雷の爆発力の大小にかかわらず１基で対応できる汎用性のある地雷除去装置を提供するものである。
【課題を解決するための手段】
【０００６】
本発明は、クレーン車により吊り下げた後、落下させて地雷を爆破させて除去する地雷爆破除去装置において、上部にピラミッド形に形成された四角錐枠と、この四角錐枠の下部に形成された四角形の四角形枠とを一体にした枠組みが形成され、前記四角錐枠の枠により形成される複数の開口が上方に片開き可能で且つ開き角度が規制された開閉蓋で覆われ、前記四角形枠の下部に設けられた誘爆体支持フレームに四角形枠の下端より突出し、地雷に接触あるいは衝撃を与えて地雷を誘爆させる誘爆体が複数設けられ、前記四角形枠に、四角形枠を四角形の壁で取り囲む、下部が開放された四角形囲いが上下動可能に連結されていることを特徴とする。
【０００７】
クレーン車が無線により遠隔操作可能し、四角形枠の上部に散水孔を設けてもよい。また、開閉蓋の裏面を弾性材料で被覆してもよい。
【発明の効果】
【０００８】
本発明は、地雷の爆発により開く開閉蓋の開き角度が規制されているので、爆風及び、爆発により飛散する爆破片が遠くへ飛ぶことがないので、安全に地雷の爆破除去作業を行うことができる。また、構造が簡単なので、破損しても簡単に交換できる。
【発明を実施するための最良の形態】
【０００９】
図１は本発明による地雷爆破除去装置を示す図、図２（ａ）は爆破除去装置の一実施例の断面図、（ｂ）は同別実施例の断面図、図３（ａ）は開閉蓋の配置を示す平面図、（ｂ）は誘爆体の配置を示す図である。
【００１０】
図１において、地雷爆破除去装置２はクレーン車１のワイヤ１ａで吊り下げ可能な爆破除去装置２からなる。
【００１１】
図１及び図２において、地雷爆破除去装置２は、上部に形鋼の枠でピラミッド形に形成された四角錐枠５ａと、この四角錐枠５ａの下部に形鋼の枠で四角形に形成された四角形枠５ｂが一体となった枠組み４がお椀を伏せたような形状に形成され、四角形枠５ｂを四角形の壁で取り囲む下部が開放された四角形囲い３が配置されている。四角形囲い３は、四角形枠５ｂが四角形囲い３内において上下動可能となるように間隔をおいて配置され、四角形囲い３の四隅と四角形枠５ｂの四隅はチェーン３ａにより連結されている。四角形枠５ｂと四角形囲い３の隙間は、地雷の爆破により発生する大きい爆破片が外に飛散するのを防止するために、できるだけ小さい隙間とする。四角形囲い３は、四角形囲い３の内部で地雷が爆破された際に破壊に耐える剛性のある鋼板で形成する。
【００１２】
四角形枠５ｂの四隅にはクレーン１のワイヤ１ａのフックに掛けるチェーン６が取り付けられ、クレーン１により四角形枠５ｂが吊り上げられるとともにチェーン３ａに連結された四角形囲い３も上昇する。
【００１３】
枠組み４の頂部にはクレーン１のワイヤ１ａのフックに係止する係止具４ａが取り付けられ、保守などで、四角形囲い３を取り外した後、枠組み４を単独で吊り上げられるようになっている。また、四角形囲い３の上部の四隅には、爆破除去装置２を安定して吊り上げることができるように、クレーン車側の隣り合う２隅にクレーン１の第二のフックに掛けるチェーン７を取り付ける係止具が取り付けられている。
【００１４】
図３（ａ）において、四角錐枠５ｂの枠の間に形成される各開口８は上方に片開き可能な開閉蓋９で覆われる。開閉蓋９は、通常は自重により閉じられており、地雷の爆発により発生した爆風により押し上げられて開くように蝶番１０により取り付けられている。地雷の爆発により開く開閉蓋９の開き角度は、爆風及び、爆発により飛散する爆破片が開いた開閉蓋９への衝突後に遠くへ飛ばないように、特に爆風及び爆破片がクレーン１に達しないように下向きに方向転換させる角度にする必要がある。そのため、開閉蓋９の質量を調整して開閉蓋９の開き角度を規制したり、あるいは開閉蓋９の開きを規制するブレーキ機構を採用したりして、開閉蓋９の開き角度を規制する。なお、開閉蓋９は分割して設けてもよい。
【００１５】
また、開閉蓋９の裏面には、開閉蓋９に当たる爆発片の衝撃を緩和するために、ゴムなどの弾性材料で被覆してもよい。
【００１６】
図２において、四角形枠５ｂの下部には、地雷に接触あるいは衝撃を与え爆発を誘うための誘爆体１１が多数配置されている。誘爆体１１は四角形枠５ｂ内に設けた誘爆体支持フレーム１２に四角形枠５ｂの下端より僅かに突出するように取り付けられる。誘爆体１１の誘爆体支持フレーム１２への取り付け構造は特に限定されるものではなく、図２（ｂ）に示すようにチェーン１１ａで吊り下げるタイプにしてもよい。誘爆体１１は爆破により外れた場合には、誘爆体支持フレーム１２へ容易に交換できるようにする。
【００１７】
誘爆体１１の配置は、図３（ｂ）に示すように、等間隔に誘爆体支持フレーム１２に取り付けられる。
【００１８】
図２に示すように、爆破除去容器内には、四角錐枠５ａの上部に地雷の爆発後に粉塵を除去するために散水する散水孔１３が設けられる。
【００１９】
クレーン車には、爆破除去装置２のクラッチを備える昇降機構１４の他、爆破除去容器内に散水するために水タンク１５やポンプ１６を備える。クレーンの腕（ジブ）１７は爆発の影響を避けるため、１５ｍ程度の長さのものが適している。さらに地雷の爆破後に鉄片などを回収するマグネットをクレーンに吊り下げるようにしてもよい。また、クレーン車１は無線により遠隔操作できるものを使用してもよい。また、クレーン車の正面には防弾ガラスを設けてもよい。
【００２０】
次に本発明の地雷爆破装置１による爆破除去作業について説明する。
【００２１】
図４は本発明による爆破除去作業の工程を示す図である。
【００２２】
クレーン車１のワイヤ１ａに枠組み４が吊り下げられ、且つ枠組み４の四角形枠５ｂにチェーン３ａにて連結された四角形囲い３がぶら下がる。このようにして爆破除去装置２を吊り下げた状態で、前回の爆破除去作業で安全が確認されている安全地帯でクレーン車１を前進させ、吊り下げられた爆破除去装置２を爆破除去作業が完了していない危険地帯との境界の上方に移動させて停止させる。
【００２３】
次いで、爆破除去装置２を徐々に下降させて四角形囲い３を着地させ、その後、クレーン車１の昇降機構１４のクラッチを切ってワイヤ２に吊り下げられた枠組み３を自然落下させる。
【００２４】
爆破除去装置２が落下しても爆発がなく、地雷が存在しない場合には、爆破除去装置２を吊り上げ、爆破除去装置２の長さだけジブ１７を旋回させて爆破除去装置２を移動させる。その後、前回の作業と同様に昇降機構１４のクラッチを切ってワイヤ２に吊り下げられた爆破除去装置２を自然落下させる。
【００２５】
以上の爆破除去装置２の自然落下→爆破除去装置２の吊り上げ→ジブ旋回の作業を、クレーン車１を中心にしてジブ１７の一定の旋回範囲で繰り返えすことにより、ゾーン１の作業を完了する。
【００２６】
ゾーン１に地雷が存在しない場合は、クレーン車１を爆破除去装置２の長さだけ前進させた後、前回のゾーン１での作業と同様に、爆破除去装置２の自然落下→爆破除去装置２の吊り上げ→ジブ旋回の作業を繰り返えす。地雷が存在しない場合は、クレーン車１を前進させて前記作業を繰り返してゾーン２、ゾーン３・・・の作業を完了する。
【００２７】
作業中に、爆破除去装置２の落下により誘爆体１１が地雷に接触あるいは落下の衝撃により地雷が爆発した場合、爆破除去装置２の内部は四角形囲い３の壁により外側と遮断された状態にあり、地雷の爆発により発生した爆風及び爆発により飛散する一部の爆破片は開口から開閉蓋９を押し上げて逃げる。このとき、開閉蓋８は自重により開き角度が規制されているので、爆風及び、飛散する爆破片が開いた開閉蓋８へ衝突し方向転換されて遠くへ飛ぶことはなくクレーン車１にも達しない。したがって、爆発があっても安全に作業することができる。
【００２８】
爆発後は、爆破除去装置２内には散水孔１３から散水して粉塵の飛散を防止する。その後、マグネットなどにより飛散している鉄片等を磁着させてかたづける。
【００２９】
以上の作業を、クレーン車１を中心に波状に行うことにより、効率よく一定の幅で広い範囲にわたって効率よく地雷の爆破除去ができる。
【図面の簡単な説明】
【００３０】
【図１】本発明による地雷爆破除去装置を示す図である。
【図２】（ａ）は爆破除去装置の一実施例の断面図、（ｂ）は同別実施例の断面図である。
【図３】（ａ）は開閉蓋の配置を示す平面図、（ｂ）は誘爆具の配置を示す図である。
【図４】本発明による爆破除去作業の工程を示す図である。
【符号の説明】
【００３１】
１：クレーン
１ａ：ワイヤ
２：地雷爆破除去装置
３：四角形囲い
３ａ：チェーン
４：枠組み
４ａ：係止具
５ａ：四角錐枠
５ｂ：四角形枠
６：チェーン 
７：チェーン
８：開口
９：開閉蓋
１０：蝶番
１１：誘爆体
１１ａ：チェーン
１２：誘爆体支持フレーム
１３：散水孔
１４：昇降機構
１５：水タンク
１６：ポンプ
１７：ジブ
【図１】
2006300397.tif 000003
【図２】
2006300397.tif 000004
【図３】
2006300397.tif 000005
【図４】
2006300397.tif 000006